(57)【要約】 【課題】給油端末機に格納されている現金の回収作業を行う給油所特定係員が複数人になる場合であっても、ハードウェアコスト及びソフトウェアコストを増大させることなく、現金の回収作業における安全性及び信頼性の向上をはかる。【解決手段】顧客それぞれが所持する給油カードのカード情報を読み取るためのカード情報読取機を用い、給油カードとは異なり、予め定められた稼動解除情報を含むカード情報が記録されている回収作業カードがカード情報読取機によって読み取られたときには、現金が保管される筐体の錠付き扉の開放を検知して警報を鳴動させる警報装置の稼動を一時停止させ、その後、この錠付き扉が閉錠又は閉扉されたのを検知したときには、この一時停止状態にある警報装置を稼動復帰させる。【選択図】図１
2010134615.tif 000002
【特許請求の範囲】
【請求項１】
カードに記録されたカード情報を読み取るカード情報読取機と、
現金を入金する現金入金機と、
油液の補給を行う計量機を用いた給油作業の実施に際し、前記カード情報読取機によって読み取られたカード情報に含まれる精算情報、又は前記現金入金機によって入金された現金を基に、当該計量機を用いて実施された給油作業に係る給油料金の精算を行う精算機と
を備えた給油端末機であって、
前記現金入金機によって給油作業の実施の際に入金された現金を内部に保管し、当該保管されている現金を取り出すための錠付き扉が設けられている筐体と、
該錠付き扉が開錠又は開扉されたのを検知して鳴動する警報装置と、
前記錠付き扉の開錠又は開扉に際し、予め該警報装置の稼動を解除する解除装置と
を有し、
該解除装置は、
前記カード情報読取機によって読み取られたカード情報を予め設定されている１又は複数の稼動解除情報と照合し、当該カード情報がいずれか１つの稼動解除情報を含むときには、前記警報装置の稼動を一時停止させる解除手段と、
前記錠付き扉が施錠又は閉扉されたのを検知して、該解除手段によって一時停止させられた状態の前記警報装置を稼動復帰させる復帰手段と
を備えていることを特徴とする給油端末機。
【請求項２】
油液の補給を行う計量機と；
カードに記録されたカード情報を読み取るカード情報読取機と、現金を入金する現金入金機と、油液の補給を行う計量機を用いた給油作業の実施に際し、前記カード情報読取機によって読み取られたカード情報に含まれる精算情報、又は前記現金入金機によって入金された現金を基に、当該計量機を用いて実施された給油作業に係る給油料金の精算を行う精算機とを備えた給油端末機と；
前記計量機及び前記給油端末機と通信ラインを介して接続され、前記計量機の作動状況を監視し、前記計量機及び前記給油端末機の稼動を管理する給油管理機と；
を備えている給油システムであって；
前記給油端末機は、前記現金入金機によって給油作業の実施の際に入金された現金を内部に保管し、当該保管されている現金を取り出すための錠付き扉が設けられている筐体と、該錠付き扉が開錠又は開扉されたのを検知して鳴動する警報装置と、該警報装置の稼動を制御する警報装置制御装置とを有し；
前記給油管理機は、前記給油端末機から送信される、前記カード情報読取機によって読み取られたカード情報を受信し、当該受信カード情報を予め設定されている１又は複数の稼動解除情報と照合し、当該カード情報がいずれか１つの稼動解除情報を含むときには、前記警報装置の稼動を一時停止させる解除指示を送信する解除手段を有し；
前記給油端末機は、前記警報装置制御装置が、前記給油管理機から送信される解除指示を受信したときには、前記警報装置の稼動を一時停止させ、前記錠付き扉が施錠又は閉扉されたのを検知したときには、該解除手段によって一時停止させられた状態の前記警報装置を稼動復帰させる；
ことを特徴とする給油システム。
【請求項３】
前記給油管理機は、前記解除手段によって受信カード情報が予め設定されている１又は複数の稼動解除情報と照合される毎に、当該受信カード情報に含まれる、読み取りカードの識別情報を蓄積記憶する記録手段をさらに有する
ことを特徴とする請求項２記載の給油システム。
【発明の詳細な説明】
【技術分野】
【０００１】
本発明は、給油所いわゆるガソリンスタンドに設置され、入金された現金を基にして、計量機を用いて実施された給油作業に係る給油料金の精算を行う給油端末機、及びこの給油端末機を用いた給油システムに関する。
【背景技術】
【０００２】
顧客自らが給油作業を行うセルフサービス方式ガソリンスタンドでは、計量機を用いた給油作業を行う給油エリアと、給油エリア毎の給油作業状況や精算作業を管理する給油管理機が設けられている給油所事務所との間を、顧客が給油作業の際に何回も往復せずに済むように、給油エリアには給油端末機（いわゆる、外設端末機）が計量機に対応させて設置されている。
【０００３】
給油端末機は、給油所事務所の給油管理機，給油エリアに設置された計量機に通信接続され、これら機器間で、給油作業の実施に伴い生じる各種情報や制御信号等の送受信が行える構成になっている。
【０００４】
特に、給油料金の精算機能を備えた給油端末機にあっては、顧客は、セルフサービス給油作業を行うに際して給油事務所に行かずとも、給油端末機に備えられている現金入金機を用い、給油エリアで給油料金の支払用の現金の入金が行えるようになっている。そのために、このような給油料金の精算機能を備えた給油端末機では、給油作業の度に入金された現金が筐体内に収容され、給油所係員によって回収されるまで入金された現金はこの筐体内に保管されるようになっている。
【０００５】
その一方で、給油料金の精算機能を備えた給油端末機を備えたセルフサービス方式ガソリンスタンドでは、顧客による給油作業の安全監視や指導等を行う給油所係員が少なく、顧客も少ない夜間に、給油端末機筐体が壊され、内部に保管されている現金が盗まれる、という犯罪が増加する傾向にある。
【０００６】
そこで、このような給油端末機の筐体内に保管された入金現金の盗難を防止するため、特開平７−２６９２２８号公報には、モード切換錠がマスタキーを使用して‘売上位置’に設定されている営業時間中に、サブキーにより施錠されている給油端末機筐体の扉が不正に開けられた場合には、警報装置を鳴動させるようにした自動釣銭機の構成が開示されている。
【０００７】
【特許文献１】特開平７−２６９２２８号公報
【発明の開示】
【発明が解決しようとする課題】
【０００８】
しかしながら、上述した従来技術の自動釣銭機のような、警報機構を備えた給油端末機では、給油端末機の現金入金機等に格納されている現金の回収作業を行う特定の給油所係員（以下、通常の給油所係員と区別し、給油所特定係員と称す）は、サブキーを用いた給油端末機筐体の扉の開放に際して、予めマスタキーを用いて‘売上位置’に設定されているモード切換錠を‘精算位置’に設定し直し、かつ所定の暗証番号をキー入力しなければ、入金現金の回収作業に際して警報装置の稼動を予め解除しておくことができない。
【０００９】
そのため、この給油所特定係員を、例えば、給油所営業時間や給油所特定係員の勤務日・勤務時間帯等といった関係から複数人必要とせざるを得ないような場合は、上述した従来技術の給油システムでは、そのマスタキー及び暗証番号が、この複数の給油所特定係員によって共用又は共有されることになり、マスタキー及び暗証番号自体の安全保障に関しての信頼性が低下する、という問題点があった。
【００１０】
また、その回収作業も、各給油所特定係員は、暗証番号を憶えた上で、マスタキーとサブキーとの２つのキーを所持して給油端末機の設置場所を巡回し、給油端末機それぞれの格納されている現金の回収作業毎に、マスタキー及び暗証番号を用いて給油端末機それぞれの警報装置の鳴動解除を行ってからサブキーを用いて開扉しなければならず、その作業も手間を要する、という問題点があった。
【００１１】
また、給油端末機も、マスタキーによるモード切換錠や、暗証番号を設定入力するための専用のキーパッドが必要となり、給油端末機のハードウェア及びソフトウェアコストが増大する虞もあった。
【００１２】
本発明はこのような問題点を勘案してなされたものであって、給油端末機に予め備えられている、カードに記録されている精算情報等のカード情報を読み取るカード情報読取機を用いることにより、給油端末機に格納されている現金の回収作業を行う給油所特定係員が複数人になる場合であっても、ハードウェアコスト及びソフトウェアコストを増大させることなく、現金の回収作業における安全性及び信頼性の向上をはかるとともに、作業性の向上をはかった給油端末機，及び給油システムを提供することを目的とする。
【課題を解決するための手段】
【００１３】
本発明の給油端末機及び給油システムは、例えば、顧客カード，プリペイドカード，クレジットカード等といった、顧客それぞれが所持するカード（給油カード）からその記録されているカード情報を読み取るためのカード情報読取機を用い、顧客それぞれが所持するカードとは異なり、予め定められた稼動解除情報を含むカード情報が記録されている回収作業カードがカード情報読取機によって読み取られたときには、内部に現金が保管される筐体の錠付き扉が開錠又は開扉されたのを検知して警報を鳴動させる警報装置の稼動を一時停止させ、その後、この錠付き扉が閉錠又は閉扉されたのを検知したときには、この一時停止状態にある警報装置を稼動復帰させることを特徴とする。
【発明の効果】
【００１４】
本発明によれば、給油端末機に予め備えられている、顧客それぞれが所持するカード（給油カード）からその記録されているカード情報を読み取るためのカード情報読取機を用いることにより、ハードウェアコスト及びソフトウェアコストを増大させることなく、給油端末機に格納されている現金の回収作業を行う給油所特定係員が複数人になる場合であっても、この現金の回収作業に関しての安全性及び信頼性向上をはかることができ、その現金の回収作業の作業性の向上もはかれる。
【発明を実施するための最良の形態】
【００１５】
本発明に係る給油端末機、及びこの給油端末機を用いた給油システムの一実施の形態について図面に基づいて説明する。
図１は、本発明の一実施の形態に係る給油システムの概略構成図である。
図２は、図１に示した給油端末機の操作・表示部筐体面の拡大図である。
図３は、図１に示した給油システムのシステム構成図である。
【００１６】
本実施の形態の給油システム１では、図１，図２に示すように、給油対象に油液の補給を行う計量機２０と、入金された現金を基にして、計量機２０を用いて実施された給油作業に係る給油料金の精算が可能な給油端末機４０とが、給油機１０として一体的な筐体構成になっている。給油端末機４０は、その給油端末機筐体４１の操作・表示部筐体面４２を外部に臨ませて、計量機筐体２１に対して組み込まれ、給油端末機筐体４１の操作・表示部筐体面４２は、計量機筐体２１とともに、給油機１０の筐体面を形成する。
【００１７】
給油機１０、すなわち計量機２０及び給油端末機４０は、給油所内の給油エリアＡ毎に設置されている（図１では、１つの給油エリアＡのみを記載して簡略化してある）。各給油機１０は、通信ライン２を介して、給油所事務所Ｂに設置された給油管理機６０と通信接続され、計量機２０，給油端末機４０，及び給油管理機６０は、それぞれ互いに、給油作業に伴う各種情報や信号の送受信が行えるようになっている。
【００１８】
図示の例では、計量機２０は、例えば、ガソリンＧ，ハイオクガソリンＰ，軽油Ｄといった複数の給油系統２２を備えた構成になっている。各給油系統２２は、給油ホース２５（図１中では、中間部分を図示省略してある）を介して先端の給油ノズル２６に油液を供給するポンプ等からなる送液手段２３と、給油作業の際に給油ノズル２２から車両の燃料タンク等といった給油対象に補給された油量を計測する流量計等からなる計量手段２４とを、計量機筐体２１内に備えている。また、計量機筐体２１の筐体面には、給油ノズル２６を非使用時に収納しておくノズル掛け２７が備えられ、ノズル掛け２７には給油ノズル２６の掛け外しを検出するノズルスイッチ２８が設けられている。また、各ノズル掛け２７には、給油作業で使用する給油系統２２を案内する案内ランプ２９が設けられている。
【００１９】
このように構成された計量機２０の各部は、計量機筐体２１内に設けられた計量機制御装置３０により作動制御される。計量機制御装置３０は、これら複数の給油系統２２の中、給油作業に際して顧客が給油端末機４０により選択設定された１つの給油系統２２（すなわち、油種）についてのみ給油を許容するように、計量機２０の対応する各部を作動制御する。計量機制御装置３０は、この選択設定された１つの給油系統２２を用いた給油作業の実施によって給油対象に補給された給油量等の給油情報を、対応する計量手段２４から出力される流量計測出力を基に演算し、その筐体面に設けられている給油表示器３１に表示する。
【００２０】
給油端末機４０は、図２，図３に示すように、タッチパネル入力式の画面操作設定器４３，顧客カード，プリペイドカード，クレジットカード等といった記憶媒体からその記録されているカード情報を読み取るカード情報読取機４４，現金紙幣を入金する現金入金機４５，給油作業終了時に伝票を発行する伝票発行機４６，案内音声や警報音声を出力する音声報知器４７，給油所事務所Ｂの給油所管理者と給油エリアＡで会話するためのインターフォン装置４８，操作・表示部筐体面４２の前方（給油機１０の前方）の人の所在を検知する人検知装置４９，後述する扉開閉検知センサ５３，及びこれら端末機各部を作動制御する端末機制御装置５０を備えている。
【００２１】
これらの中、画面操作設定器４３のタッチパネル画面４３’，カード情報読取機４４のカード挿入・排出口４４’，現金入金機４５の紙幣挿入口４５’，伝票発行機４６の発行伝票排出口４６’，音声報知器４７のスピーカ４７’，インターフォン装置４８の会話部４８’，人検知装置４９のセンサ部４９’は、図２に示すように、給油端末機筐体４１の操作・表示部筐体面４２に外部に臨ませて配置されている。
【００２２】
この操作・表示部筐体面４２には、操作・表示部筐体面４２の表側（すなわち、前方）の外部空間と、操作・表示部筐体面４２の裏側（すなわち、後方）の筐体内部スペースとを連通／遮断可能に隔てるための錠付き扉５１がヒンジ止めされ、開／閉可能に設けられている。図示の例では、錠付き扉５１は、図示せぬ回収作業キーを用いて開錠／閉錠可能な錠機構５２を備え、この錠機構５２の開錠／閉錠に対応して開閉可状態／開閉不可状態になる。
【００２３】
操作・表示部筐体面４２の裏側の、図示しない筐体内部スペースは、端末機制御装置５０や、現金入金機４５をはじめとする各装置・各機器の設置スペースになっており、現金入金機４５の紙幣挿入口４５’から入金された現金が収容され、保管される保管スペースにもなっている。そのため、図示の例では、この錠付き扉５１が閉塞する操作・表示部筐体面４２の扉開口は、操作・表示部筐体面４２の裏側の保管スペースに保管されている現金の回収口に該当する。給油所特定係員は、現金入金機４５の紙幣挿入口４５’から入金され、給油端末機筐体４１の筐体内部スペースの現金保管箱に保管されている現金を、回収作業キーを用いて錠機構５２を開錠し、錠付き扉５１を開いて回収することになる。
【００２４】
また、この錠付き扉５１には、錠付き扉５１の開扉／閉扉状態を検知し、その検知信号を出力する扉開閉検知センサ５３が付設されている。また、錠機構５２には、錠機構５２の開錠／閉錠状態を検知し、その検知信号を出力する錠状態検知センサ５４が設けられている。扉開閉検知センサ５３及び錠状態検知センサ５４は、現金入金機４５をはじめとする上述した端末機制御装置５０以外の各機器装置と同様に、端末機制御装置５０に対し、信号接続されている。
【００２５】
端末機制御装置５０は、図示せぬ通信インタフェースによって、通信ライン２を介して、計量機２０の計量機制御装置３０や、給油管理機６０と通信接続され、それぞれ互いに、給油作業に係わる各種情報や信号の送受信が行える。
【００２６】
給油管理機６０は、作業形態をＯＳＤ（On Screen Display）表示することが可能な表示器６２、及びキーボードやポインティングデバイス等の操作入力装置６３を備え、通信機能を有するコンピュータ装置６１によって構成されている。給油管理機６０が設置されている給油所事務所Ｂには、さらに給油端末機４０のインターフォン装置４８と通信接続されているインターフォン６４が設けられている。
【００２７】
給油管理機６０は、給油所事務所Ｂから、各給油エリアＡの給油機１０について個別に、その全体機能又は一部機能の稼動／非稼動（停止）を設定したり、その稼動についても、給油料金の精算方式に関係して、前払い精算方式での作動、又は後払い精算方式での作動のいずれか一方を、その稼動条件として設定できるようになっている。
【００２８】
次に、上述した給油システム１を用いた給油作業について、予め、給油管理機６０によって、給油機１０、すなわち計量機２０及び給油端末機４０に対し、給油料金の精算方式に係る稼動条件として前払い精算方式での作動が設定されている場合を例に、説明する。
【００２９】
図４は、本実施の一実施の形態に係る給油システムにおける前払い精算方式での給油作業のフローチャートである。
顧客による給油作業、給油所特定係員による給油端末機筐体４１内に保管されている現金の回収作業のいずれも行われていない給油機１０の待機状態において、給油端末機４０の人検知装置４９が給油機１０の前方に人の所在を検知すると（図４、ステップS13）、端末機制御装置５０は、画面操作設定器４３の操作表示画面に、図示せぬ待機状態画面に代えて、「現金（現金払い）」キー，「クレジット（クレジット払い）」キー，「プリカ（プリペイドカード）」キー等といった精算方法選択キーを有した‘精算方法設定画面’を表示する（ステップS18）。
【００３０】
そして、顧客がこれら精算方法（支払方法）の中のいずれか１つの精算方法を画面上で設定操作すると（ステップS14）、端末機制御装置５０は、顧客がこれから実施する給油作業として、設定操作された選択キーに対応する１つの精算方法による給油作業を設定する。
【００３１】
例えば、端末機制御装置５０は、顧客によって「現金」キーが‘精算方法設定画面’上で操作されたのを検出すると（ステップS14）、顧客がこれから実施する給油作業として、現金入金による‘現金給油’を設定し（ステップS27）、現金給油処理（ステップS30）を行う。同様にして、顧客によって「クレジット」キーが‘精算方法設定画面’上で操作されたのを検出した場合には（ステップS14）、顧客がこれから実施する給油作業として、クレジット精算による‘クレジット給油’を設定し（ステップS27）、クレジット給油処理（ステップS40）を行い、顧客によって「プリカ」キーが‘精算方法設定画面’上で操作されたのを検出した場合には（ステップS14）、顧客がこれから実施する給油作業として、プリペイドカードを用いた‘プリペイドカード給油’を設定し（ステップS27）、プリペイドカード給油処理（ステップS40）を行う。
【００３２】
図５は、給油端末機の端末機制御装置が行う現金給油処理のフローチャートを、図６は、給油端末機の端末機制御装置が行うクレジット給油処理のフローチャートを、図７は、給油端末機の端末機制御装置が行うプリペイドカード給油処理のフローチャートを、それぞれ示したものである。
【００３３】
ここでは、まず、顧客が現金による精算の‘現金給油’を選択した場合に、給油端末機の端末機制御装置が行う現金給油処理（図４、ステップS30）について、図５に基づいて説明する。
【００３４】
‘現金給油’が顧客によって設定されると、図５に示すように、給油端末機４０の端末機制御装置５０は、‘精算方法設定画面’に代えて、給油金額の前払い精算のための入金と給油油種の選択とを案内する‘入金・油種選択案内画面’を画面操作設定器４３の操作表示画面に表示する（ステップS312）。そして、この‘入金・油種選択案内画面’には、現金入金機４５を用いた前払い現金の入金案内メッセージと、給油油種を設定するための「ガソリン」キー，「ハイオクガソリン」キー，「軽油」キー等といった油種選択キーが含まれている。
【００３５】
この入金案内メッセージに従い、顧客が紙幣を紙幣挿入口４５’に挿入すると（ステップS313）、現金入金機４５から読み取られた紙幣の金額が端末機制御装置５０に供給され、端末機制御装置５０は入金額を演算し、画面操作設定器４３の操作表示画面（‘入金・油種選択案内画面’）上に表示する（ステップS315）。そして、端末機制御装置５０は、顧客による現金入金機４５を用いた紙幣の挿入があった後は、油種選択キーのキー操作に基づく給油油種の設定（ステップS316）がなされたか、及び顧客による追加の紙幣の挿入がないか（ステップS317）を監視している。
【００３６】
このようにして、端末機制御装置５０は、顧客により、前払い精算のための現金入金がなされ（ステップS313）、かつ給油油種の選択がなされると（ステップS316）、操作された油種選択キーに対応する油種（例えば、「ガソリン」キーが操作された場合には「ガソリン」）を、顧客がこれから実施する給油作業での給油油種として設定するとともに、その入金金額を、その際の給油可能金額として設定する。そして、端末機制御装置５０は、これから行う給油作業の‘設定確認画面’を画面操作設定器４３の操作表示画面に表示する（ステップS321）。
【００３７】
この‘設定確認画面’には、設定された精算方法，給油油種，油種単価，入金金額といった、これから計量機２０を用いて行う給油作業に係る給油作業条件が表示される。また、この‘設定確認画面’には、表示された設定内容の確認のための「確認」キー，「取消」キーといった確認入力キーが含まれ、顧客が確認結果を入力可能になっている。
【００３８】
その上で、顧客が「確認」キーを操作し、設定内容の確認が行われると（ステップS322）、給油端末機４０の端末機制御装置５０は、通信ライン２を介して、計量機２０の計量機制御装置３０，給油管理機６０のコンピュータ装置６１等に、この確認した給油作業条件を基にしたそれぞれが必要な作業データを送信する（ステップS323）。
【００３９】
給油管理機６０は、この受信した作業データを基に、給油エリアＡ毎の給油機１０による給油作業の状況を随時表示する‘給油機管理画面’上に、計量機２０を用いてこれから行われる給油作業内容やその確認要請を、該当給油機１０に対応させて表示する。給油所係員は、この‘給油機管理画面’を参照して、給油機１０からの給油作業開始の確認要請があった場合には、入力操作機器５３を用いて該当給油機１０の計量機２０を用いた給油作業の許可・取消を行うようになっている。給油管理機６０は、給油所係員によって該当給油機１０に関して給油作業の許可がなされると、該当する給油機１０の端末機制御装置５０及び計量機制御装置３０に対して ‘給油許可’を送信する一方、給油作業の取消がなされると、‘給油禁止（給油不許可）’を送信する。
【００４０】
給油端末機４０は、上述した作業データの送信後、給油管理機６０からの給油許可を受信すると（ステップS324）、端末機制御装置５０は、計量機２０からの給油作業の実施に基づく給油データの受信待ち状態になり、給油作業終了時の精算伝票（レシート）の発行処理に備える（ステップS325）。
【００４１】
一方、計量機２０は、給油端末機４０から必要な作業データを受信すると、計量機制御装置３０は、この必要データに含まれる給油油種に基づき、対応する給油系統２２の案内ランプ２９を点灯して、顧客に、給油作業に用いる給油ノズル２６を案内するとともに、該当する給油系統２２を給油作業に用いる‘使用給油系統'として設定する。
【００４２】
計量機２０は、その後、給油管理機６０からの給油許可を受信すると、計量機制御装置３０は、この使用給油系統を用いた給油制御を開始する。すなわち、計量機制御装置３０は、顧客により使用給油系統の給油ノズル２６がノズル掛け２７から取り出され、ノズルスイッチ２６からノズル外れ検知信号を受信すると、給油表示器３１の給油量表示をゼロリセットし、送液手段２３のポンプを駆動する。顧客により、給油ノズルが開弁操作され、給油対象への油液の補給が開始されると、計量手段２４から供給される流量パルス信号に基づいて給油量や給油金額を演算し、給油表示器３１に表示する。その後、顧客による給油対象への油液の補給が終了し、給油ノズル２６がノズル掛け２７に収納され、ノズルスイッチ２６からノズル収納検知信号を受信すると、計量機制御装置３０は、送液手段２３のポンプの駆動を停止させ、案内ランプ２９を消灯するとともに、給油量等の給油データを、給油端末機４０の端末機制御装置５０に送信する。
【００４３】
給油端末機４０の端末機制御装置５０は、このようにして計量機２０を用いて実行された給油作業に係る給油データを計量機制御装置３０から受信すると（ステップS325）、先に現金入金機４５を用いて入金された入金金額から給油データに含まれる給油金額を差し引いた釣銭額（精算額）等を含む給油情報を作成する。端末機制御装置５０は、この作成した給油情報を、給油管理機６０や図示せぬ販売時点情報管理機等に、通信ライン２を介して送信し（ステップS326）、‘給油作業終了案内画面’を画面操作設定器４３の操作表示画面に表示する（ステップS327）。なお、この‘給油作業終了案内画面’には、給油情報の作成において釣銭が生じた場合に発行される精算伝票の受け取り案内メッセージや、釣銭がない場合であっても精算伝票の発行を行わせるためのレシート発行キーを含む。
【００４４】
端末機制御装置５０は、この実施した‘現金給油’で釣銭が生じる場合には（ステップS328）、例えば顧客自身が給油所事務所等に設けられている自動釣銭支払機に持参して釣銭を受け取るための精算伝票（レシート）を伝票発行機４６に発行させる（ステップS331）。また、釣銭が生じない場合であっても、顧客により‘給油作業終了案内画面'上でレシート発行キーが操作された場合には（ステップS330）、釣銭がゼロの精算伝票（レシート）を伝票発行機４６から発行できるようになっている（ステップS331）。
【００４５】
そして、端末機制御装置５０は、顧客が伝票発行機４６から発行された精算伝票を受け取ったのが検出された場合や、顧客がレシート釦を操作せずに伝票発行が不要であることが判別された場合には、今回給油作業は終了したものとして次の給油作業に備え、待機状態になる。
【００４６】
このような‘現金給油’に対し、クレジットカードによる精算の‘クレジット給油’が支払方法として選択された場合や、プリペイドカードによる精算の‘プリペイドカード給油’が支払方法として選択された場合は（図４、ステップS27）、図６，図７にそれぞれ示すように、給油端末機４０の端末機制御装置５０は、画面操作設定器４３の操作表示画面にそれぞれ対応するカードの‘カード読み取り・油種選択案内画面’を表示させた後（図６のステップS412，図７のステップS512）、カード情報読取機４４によるクレジットカードカードの読み取り待ち状態（図６のステップS413〜S416）又はプリペイドカードの読み取り待ち状態（図７のステップS513〜S516）になる。
【００４７】
このカードの読み取り待ち状態（図６のステップS413〜S416，図７のステップS513〜S516）において、顧客がカードをカード挿入・排出口４４’から挿入すると、カードはカード情報読取機４４の装置内部に取り込まれて、カードに記録されているカード情報が読み取られ、端末機制御装置５０に供給される。そこで、端末機制御装置５０は、この供給されたカード情報を基に、読み取られたカードが、クレジットカードであるか（図６のステップS413，図７のステップS514）、プリペイドカードであるか（図６のステップS414，図７のステップS513）、これらカード以外のカード（後述の係員カードも含む）であるか（図６のステップS415，図７のステップS515）を判別する。
【００４８】
なお、その際、端末機制御装置５０は、読み取られたカードが設定されている給油処理に有効でないカードの場合は（図６のステップS414・S415，図７のステップS514・S515）、その有効でないカードはカード挿入・排出口４４’から排出される（図６のステップS417，図７のステップS517）。
【００４９】
すなわち、設定された給油処理が図６に示したクレジットカード給油処理である場合は、読み取られたカードがプリペイドカードである場合（ステップS414）や、クレジットカードやプリペイドカード以外のカード（後述の係員カードも含む）である場合（ステップS415）には、その読み取られたカードはカード挿入・排出口４４’から排出される（ステップS417）。同様にして、設定された給油処理が図７に示したプリペイドカード給油処理である場合は、読み取られたカードがクレジットカードである場合（ステップS514）や、クレジットカードやプリペイドカード以外のカード（後述の係員カードも含む）である場合（ステップS515）には、その読み取られたカードはカード挿入・排出口４４’から排出される（ステップS417）。
【００５０】
これに対し、図６に示すクレジットカード給油処理が設定されている状態でのクレジットカードの読み取り（ステップS413）、又はプリペイドカード給油処理が設定されている状態でのプリペイドトカードの読み取り（ステップS513）である場合には、端末機制御装置５０は、油種選択キーの操作による給油油種の選択処理（図６のステップS420，図７のステップS520）に移行する。この移行に際して、プリペイドカード給油処理が設定されている場合では、画面操作設定器４３の操作表示画面に表示されている‘カード読み取り・油種選択案内画面’には、プリペイドカードに記憶されているカード情報に基づく、残高（給油可能金額）の表示がなされる（ステップS518）。
【００５１】
そして、この給油油種の選択処理（図６のステップS420，図７のステップS520）以降は、端末機制御装置５０は、現金給油の場合に説明した処理（図５のステップS321〜S331）と同様な処理（図６のステップS421〜S431，図７のステップS521〜S531）を実行し、クレジットカード給油又はプリペイドカード給油による、計量機２０を用いた給油作業の実行を制御する。
【００５２】
なお、その制御では、計量機２０から給油データを受信した際の（図６のステップS425，図７のステップS525）、今回給油作業に係る給油量や給油金額等を含む給油情報の作成に関連して、端末機制御装置５０は、プリペイドカード給油である場合には、当初読み取った残高から今回の給油金額を差し引いた更新残高を演算し、カード情報読取機４４に備えられているデータ書き込み機能を用いて、プリペイドカードのカード記録情報に含まれる残高金額をこの更新残高金額に更新するようになっている。
【００５３】
また、給油作業の終了時には、給油作業の開始に際してカード情報読み取りのためにカード情報読取機４４の装置内部に取り込まれたクレジットカードやプリペイドカードを、カード挿入・排出口４４’から排出し、顧客に返却するようになっている（図６のステップS432，図７のステップS532）。これに伴い、画面操作設定器４３の操作表示画面に給油作業の終了の際に表示する‘給油作業終了案内画面'には、返却されるクレジットカードやプリペイドカードの受け取り案内も含まれるようになっている。
【００５４】
次に、上述した給油システムにおいて、現金入金機４５を有し、この現金入金機４５によって入金された現金を内部に収容して保管する給油端末機４０からの現金の回収作業について、以下に説明する。
【００５５】
給油端末機４０において、端末機制御装置５０は、音声報知器４７，及び扉開閉検知センサ５３若しくは錠状態検知センサ５４、と協働して、現金を内部に収容して保管する給油端末機４０の錠付き扉５１の開扉又はその錠機構５２の開錠を警報する警報装置を構成する。
【００５６】
端末機制御装置５０は、警報装置の稼動状態で、錠付き扉５１が開扉状態であることを示す扉開閉検知センサ５３の検知信号、又は錠機構５２が開錠状態であることを示す錠状態検知センサ５４の検知信号を受けて、音声報知器４７から錠付き扉５１が開扉状態であることや錠機構５２が開錠状態であることを示す所定の警報音を発声させる。
【００５７】
また、端末機制御装置５０は、カード情報読取機４４、及び通信ライン２を介して接続された給油管理機６０のコンピュータ装置６１と協働して、上述した警報装置の稼動を解除する解除装置を構成する。
【００５８】
端末機制御装置５０は、警報装置の稼動解除状態では、錠付き扉５１が開扉状態であることを示す扉開閉検知センサ５３の検知信号、又は錠機構５２が開錠状態であることを示す錠状態検知センサ５４の検知信号を受けても、音声報知器４７から上述した所定の警報音を発声させない。
【００５９】
一方、給油端末機４０に格納されている現金の回収作業を行う特定の給油所係員、すなわち給油所特定係員には、給油端末機４０からの現金の回収作業を許可する際の照合に用いる回収作業データをカード情報として含む、カード情報読取機４４によって読み取り可能な係員カード７０が予め配布される。給油所特定係員が複数いる場合、給油所特定係員それぞれに配布される係員カード７０，…は、各係員カード７０すなわち各係員カード７０を使用する給油所特定係員それぞれを特定できる構成になっている。そのため、係員カード７０のカード情報には、個別の係員カード７０，…を識別するための識別データが記憶されている。なお、上述した回収作業データは、この個別の係員カード７０，…を識別するための識別データで兼用させることも可能である。
【００６０】
また、給油管理機６０を構成するコンピュータ装置６１の記憶部に設けられた照合データ記憶部７１（図３参照）には、例えば、給油端末機４０の錠機構５２の開錠や錠付き扉５１の開扉を警報装置から警報音の発声をさせることなく許可することが可能な個別の係員カード７０，…の回収作業データが照合データとして、係員カード７０，…毎に回収作業が行える曜日や日時等といった照合条件データや、所持する給油所特定係員の識別データや登録日等といった照合備考データが必要に応じて付加されて登録できるようになっている。その際、係員カード７０に固定記録されている回収作業データの入力は、例えば、給油端末機４０のカード情報読取機４４と同様なカード情報読取機７２を接続して係員カード７０のカード情報を読み取らせることによって、そのカード情報に含まれている識別データを用いて行えるようになっている。なお、この照合データ記憶部７１に既に記憶されている照合データは、操作入力装置６３を用いて照合データ登録のための認証操作を行った上で、操作入力装置６３の操作によって削除できるようになっている。
【００６１】
図８は、照合データ記憶部の構成例を示したものである。
【００６２】
給油管理機６０には、給油所特定係員が現金の回収作業を行う際に、作業対象の給油端末機４０を指定し、指定された給油端末機４０の端末機制御装置５０、及び指定された給油端末機４０に関して給油管理機６０のコンピュータ装置６１を、警報装置の解除装置として機能させるための回収作業設定ボタン７３が設けられている。この回収作業設定ボタン７３は、‘給油機管理画面’上にＧＵＩ表示されたキーでもよい。この回収作業設定ボタン７３の操作による給油端末機４０の指定では、複数の給油端末機４０を選択することも可能になっている。
【００６３】
給油所特定係員が、この回収作業設定ボタン７３を操作して給油管理機６０によって作業対象の給油端末機４０を指定すると、給油管理機６０から指定された作業対象の給油端末機４０へ現金回収作業の予告が、通信ライン２を介して供給される。作業対象の給油端末機４０は、給油管理機６０から自身宛ての現金回収作業の予告指示を受信すると、後述する現金回収作業における係員カード７０の照合処理を開始するようになっている。
【００６４】
そのため、係員カード７０を所持する給油所特定係員は、上述した‘現金給油’の給油作業の実施によって給油端末機４０の給油端末機筐体４１内に蓄積保管されている紙幣の回収作業を行う場合、まず、給油所事務所Ｂに設定給油管理機６０の回収作業設定ボタン７３を操作して、現金の回収作業を行う対象の給油端末機４０を予め指定する。
【００６５】
給油管理機６０のコンピュータ装置６１は、回収作業設定ボタン７３の操作の操作に基づき現金の回収作業を行う対象の１又は複数の給油端末機４０が設定されると、通信ラインを介して指定された給油端末機４０の端末機制御装置５０に対して、現金の回収作業予告を送信する。
【００６６】
給油端末機４０の端末機制御装置５０は、この現金の回収作業予告を受信すると、現金回収作業モードを設定する。この設定された現金回収作業モードは、例えば、現金の回収作業の終了により、及びその設定後から現金の回収作業がなされないまま所定時間が経過することにより、設定解除されるようになっている。
【００６７】
その上で、給油所特定係員は、自身に配布された係員カード７０と、錠付き扉５１の錠機構５２を開錠するための錠（図示せず）を所持して、指定した給油端末機４０が設置されている給油エリアＡを廻って、係員カード７０及び錠を用いて錠付き扉５１を開扉し、給油端末機筐体４１内に蓄積保管されている紙幣の回収作業に当たることになる。
【００６８】
次に、この給油所特定係員による現金の回収作業に関連しての、給油機１０毎の給油端末機４０の処理について説明する。
【００６９】
図４において、給油端末機４０の端末機制御装置５０は、待機状態において、カード情報読取機４４からのカードの読み取りを検出すると（ステップS15）、警報装置解除処理を行う（ステップS19）。
【００７０】
図９は、図４に示した警報装置解除処理のフローチャートである。
給油端末機４０の端末機制御装置５０は、カード情報読取機４４から供給される読み取りカードに記憶されているカード情報に基づき、読み取りカードが現金回収作業のための係員カード７０であるか否かを判別する（ステップS1901）。ここで、端末機制御装置５０は、読み取りカードが係員カード７０である場合は、上述した給油管理機６０からの自身宛ての現金回収作業の予告により現金回収作業モードが設定されているか否かを確認する（ステップS1902）。
【００７１】
端末機制御装置５０は、読み取りカードが、例えばプリペイドカードやクレジットカードといった係員カード７０である場合は、読み取りカードを排出し（ステップS1902）、警報装置の作動解除を行わずに、警報装置解除処理（図４のステップS19）を終了する。同様に、読み取りカードが係員カード７０であっても、給油管理機６０からの自身宛ての現金回収作業の予告指示により予め現金回収作業モードが設定されていない場合にも、読み取った係員カード７０を排出し（ステップS1907）て、警報装置の作動解除を行わずに、警報装置解除処理（図４のステップS19）を終了する。
【００７２】
そのため、給油端末機４０では、その待機状態、すなわち計量機２０を用いた給油作業が行われていない状態で、係員カード７０以外のカードが読み取り操作された場合や、係員カード７０が読み取られた場合であっても、給油管理機６０を用いて当該給油端末機４０に現金回収作業モードが予め設定されていない場合は、警報装置の作動解除処理が行えない。この結果、係員カード７０の使用自体についても、係員の目が届く給油所事務所等に設置された給油管理機６０で現金回収作業の対象指定を行わなければならないため、係員カード７０の使用自体に関しても、安全性及び信頼性の向上がはかれる。
【００７３】
端末機制御装置５０は、係員カード７０を現金回収作業モードが予め設定されている状態で読み取った場合は、係員カード７０にカード情報として記憶されている回収作業データの照合を行う（ステップS1903）。本実施の形態の場合では、回収作業データの照合は、読み取った係員カード７０のカード情報を通信ライン２を介して給油管理機６０に送信し、給油管理機６０を用いて行う。
【００７４】
給油管理機６０のコンピュータ装置６１は、通信ライン２を介して、給油端末機４０から読み取った係員カード７０のカード情報を受信すると、カード情報に含まれ、個別の給油所特定係員及び係員カード７０の識別が可能な回収作業データが、図８に示した照合データ記憶部７１に登録されている回収作業データに一致するか否かを判定する。コンピュータ装置６１は、読み取った係員カード７０のカード情報に含まれる回収作業データが照合データ記憶部７１に登録された回収作業データである場合には、さらにその回収作業データに対応する回収作業が行える曜日や日時等といった照合条件データが満たされているか否かを判別する。
【００７５】
給油管理機６０のコンピュータ装置６１は、係員カード７０の回収作業データが照合データ記憶部７１に登録された回収作業データに一致し、照合条件が適合する場合には、照会元の給油端末機４０に宛てて警報装置の稼動停止許可を送信する一方、係員カード７０の回収作業データが照合データ記憶部７１に登録された回収作業データに一致しない場合、また一致する場合であっても照合条件データが満たされていない場合は、警報装置の稼動停止禁止を送信する。
【００７６】
なお、給油管理機６０のコンピュータ装置６１では、係員カード７０の回収作業データに対応付けて、この照会元の係員カード７０のカード情報と照合データ記憶部７１に登録されている回収作業データとの照合結果を、コンピュータ装置６１の記憶部に設けられた回収作業履歴記憶部７４に記憶するようになっている。
【００７７】
給油端末機４０の端末機制御装置５０は、給油管理機６０への係員カード７０のカード情報の送信後、給油管理機６０から警報装置の稼動停止許可又は稼動停止禁止の待ち受け状態になっている（ステップS1904）。
【００７８】
端末機制御装置５０は、警報装置の稼動停止許可を受信すると、警報装置の稼動モードを解除し、稼動停止モードを設定するともに、警報解除タイム（警報解除期間）として予め定められている所定時間の計時を開始する（ステップS1905）。そして、端末機制御装置５０は、稼動停止モードを設定すると、画面操作設定器４３の操作表示画面上に錠付き扉５１の開錠操作案内を表示し（ステップS1906）、読み取った係員カード７０をカード情報読取機４４から排出させる（ステップS1907）。
【００７９】
これに対し、端末機制御装置５０は、給油管理機６０から警報装置の稼動停止禁止が供給されると、稼動停止モードを設定することなく稼動モードが設定されたまま、読み取った係員カード７０をカード情報読取機４４から排出させる（ステップS1907）。
【００８０】
したがって、給油所特定係員は、回収作業が行える曜日や日時等といった照合条件の範囲内で、給油管理機６０に予め登録されて自身に配布された係員カード７０を、給油管理機６０を用いて作業対象として設定した給油端末機４０のカード情報読取機４４によって、顧客がクレジットカードやプリペイドカードを読み取らせる場合と同様にして読み取らせることにより、現金回収作業対象として設定した給油端末機４０の警報装置の解除を行うことができる。
【００８１】
給油所特定係員は、その後、錠機構５２を開錠して錠付き扉５１の開扉することにより、給油端末機筐体４１の筐体内部スペースに保管されている現金を、警報装置から警報を発生させること無しに回収することができる。
【００８２】
その場合、図４において、給油所特定係員が錠機構５２を開錠した際には、錠状態検知センサ５４から錠機構５２が開錠状態であることを示す検知信号が供給され、端末機制御装置５０は錠機構５２の開錠状態を検出するが（ステップS12）、その検出時に警報装置の稼動停止モードが前述したようにして設定されているので（ステップS17）、音声報知器４７から錠機構５２が開錠状態であることを示す警報音を発声させることはない。
【００８３】
同様に、給油所特定係員がこの開錠して錠付き扉５１を開扉した際には、扉開閉検知センサ５３から錠付き扉５１が開扉状態であることを示す検知信号が供給され、端末機制御装置５０は錠付き扉５１の開扉状態を検出するが（ステップS11）、その検出時にも警報装置の稼動停止モードが設定されているので（ステップS21）、音声報知器４７から錠付き扉５１が開扉状態であることを示す警報音を発声させることはない。  
【００８４】
したがって、給油所特定係員は、警報装置としての音声報知器４７から不要な警報を発声させることなく、給油端末機筐体４１の筐体内部スペースに保管されている現金を回収することができる（ステップS22）。
【００８５】
そして、回収後、給油所特定係員が錠付き扉５１を閉扉すると、扉開閉検知センサ５３から錠付き扉５１が閉扉状態であることを示す検知信号が供給され、端末機制御装置５０は錠付き扉５１の閉扉状態を検出する（ステップS23）。この錠付き扉５１の閉扉の検出に基づき、例えば、予め定められている錠機構５２の施錠作業時間だけ遅延させて、端末機制御装置５０は設定されていた警報装置の稼動停止モードをリセットし、警報装置の稼動モードに戻す（ステップS24）。
【００８６】
これにより、給油所特定係員が、給油端末機筐体４１の筐体内部スペースに保管されている現金の回収後、錠付き扉５１を閉じ忘れた場合であっても、その場合は、錠付き扉５１を閉扉されない限り（ステップS23）、例えば、精算方法（支払方法）の操作入力が顧客により行われても、端末機制御装置５０は給油作業に係る操作入力を認識せず、給油作業処理（ステップS30，S40，S50）を行うことはできないため、給油端末機筐体４１の筐体内部スペースに、現金給油のための入金現金が新たに保管されることもない。
【００８７】
また、閉扉した錠付き扉５１の錠機構５２の施錠を忘れたとしても、このときには既に稼動モードに戻っているので（ステップS12）、端末機制御装置５０は、錠状態検知センサ５４からの開錠状態の検出信号の供給を受け（ステップS12）、音声報知器４７から錠機構５２が開錠状態であることを示す警報音を発声させて（ステップS12）、給油所特定係員に知らせることができる。この結果、給油端末機４０の現金保管装置としての安全性及び信頼性の向上がはかれる。
【００８８】
加えて、図４のステップS19に示した警報装置解除処理によって、給油所特定係員が、給油管理機６０を用いて回収作業対象の給油端末機４０を指定し、係員カード７０を回収作業対象の給油端末機４０のカード情報読取機４４を読み取らせて、端末機制御装置５０が警報装置の稼動モードを解除し、稼動停止モードを設定した場合であっても、何らかの事情によって給油所特定係員が錠付き扉５１を開錠して給油端末機筐体４１の筐体内部スペースに保管されている現金の回収作業が行えなくなってしまった場合には、端末機制御装置５０は、稼動停止モードを設定するともに計時を開始した図９のステップS1905で述べた警報解除タイムの計時完了時すなわち警報解除タイムアウト検出時（ステップS16）、又は、この警報解除タイムの計時中であっても例えば精算方法（支払方法）の設定操作が顧客により行われる等して給油作業が開始されたときは（ステップS14）、警報装置稼動処理を行うことになる（ステップS20，S26）。
【００８９】
図１０は、図４に示した警報装置稼動処理のフローチャートである。
給油端末機４０の端末機制御装置５０は、現在の警報装置としての自身の現在の設定モードが稼動停止モードになっているか又は稼動モードになっているかを判別する（ステップS2001）。端末機制御装置５０は、この自身の現在の設定モードが稼動モードになっている場合は、そのまま警報装置稼動処理を終了するのに対し、現在の設定モードが稼動停止モードになっている場合は、設定されていた警報装置の稼動停止モードをリセットし、警報装置の稼動モードに戻して、警報装置を稼動状態にする（ステップS2002）。これにより、回収作業は自動的に中止され、警報装置は稼動状態に戻る。その際には、先に行われた図９に示す警報装置解除処理の実行によって画面操作設定器４３の操作表示画面上に開錠案内（図９、ステップS1906）は終了消去される。
【００９０】
したがって、図４において、係員カード７０を回収作業対象の給油端末機４０のカード情報読取機４４を読み取らせて（ステップS15）、端末機制御装置５０が警報装置の稼動モードを解除し、稼動停止モードを設定した場合であっても（ステップS19）、何らかの事情によって給油所特定係員が錠付き扉５１を開錠して給油端末機筐体４１の筐体内部スペースに保管されている現金の回収作業が行えなくなってしまった場合には、警報解除タイムの計時がなされると（ステップS16）、又はこの警報解除タイムの計時完了前であっても、顧客による給油作業が開始されると（ステップS14）、警報装置は自動的に稼動状態に戻り（ステップS20，S26）、警報が発生するので（ステップS12，S17，S25）、給油端末機筐体４１の筐体内部スペースに保管されている現金についての安全性、及び現金保管装置としての信頼性の向上がはかれる。
【００９１】
このように構成した本実施の形態に係る給油システム１及び給油端末機４０によれば、係員カード７０を所持しない給油所特定係員以外の第三者が、給油端末機筐体４１の錠付き扉５１の錠機構５２を壊したり、不正に入手した合鍵を使用して錠機構５２を開錠して、給油端末機筐体４１の筐体内部スペースに保管されている現金を不正に回収したとしても、給油管理機６０を用いて回収対象の給油端末機４０になっていなければ、さらにこの回収対象の給油端末機４０に備えられているカード情報読取機４４に予め登録されている係員カード７０を読み取らせていない限りは、警報装置の稼動モードが設定され状態になっている。そのため、このような合鍵を使用した錠機構５２の開錠（ステップS12）又は錠機構５２の破壊による錠付き扉５１の開扉（ステップS11）によっても、端末機制御装置５０は警報装置の稼動停止モードが設定されていなので（ステップS17，S21）、音声報知器４７から所定の警報音を発声させて（ステップS25）、この異常状態を知らせることができる。
【００９２】
また、給油端末機４０からの現金回収作業を行うことができる給油所特定係員に追加及び削除が生じた場合であっても、給油管理機６０を用いて照合データ記憶部７１に記憶されている回収作業データを追加登録又は削除することによって、容易に対応をはかることができる。これにより、従来のマスタキーを複数の給油所特定係員の間で共有することもなくなり、給油端末機筐体４１の筐体内部スペースに保管されている現金についての安全性、及び現金保管装置としての信頼性のさらなる向上がはかれる。
【００９３】
そして、給油所特定係員それぞれの勤務日や勤務時間に応じて、照合データ記憶部７１には係員カード７０の識別データにも該当する回収作業データ毎に対応付けて照合条件を設定することができるので、キーとしての係員カード７０の安全性、及び信頼性を向上させることもできる。
【００９４】
また、従来のマスタキーのための機械的錠機構の代わりに、給油作業の際に用いられるカード情報読取機４４を用いるので、給油システム１及び給油端末機４０としてのコストアップを抑制することができる。
【００９５】
なお、本実施の形態の給油システム１では、給油端末機４０は計量機２０と一体筐体の給油機１０として構成したが、給油端末機４０を計量機２０とは独立した別筐体として構成することも可能である。さらに、給油端末機４０と計量機２０との対応関係についても、１対１でなく、１台の給油端末機４０で複数の計量機２０それぞれの給油作業の設定処理等を兼用する構成であってもよい。
【図面の簡単な説明】
【００９６】
【図１】本発明の一実施の形態に係る給油システムの構成図である。
【図２】図１に示した給油端末機の操作・表示部筐体面の拡大図である。
【図３】図１に示した給油システムのシステム構成図である。
【図４】本実施の一実施の形態に係る給油システムにおける前払い精算方式での給油作業のフローチャートである。
【図５】本実施の一実施の形態に係る給油端末機の端末機制御装置が行う現金給油処理のフローチャートである。
【図６】本実施の一実施の形態に係る給油端末機の端末機制御装置が行うクレジット給油処理のフローチャートである。
【図７】本実施の一実施の形態に係る給油端末機の端末機制御装置が行うプリペイドカード給油処理のフローチャートである。
【図８】照合データ記憶部の構成例を示したものである。
【図９】図４に示した警報装置解除処理のフローチャートである。
【図１０】図４に示した警報装置稼動処理のフローチャートである。
【符号の説明】
【００９７】
１  給油システム、    ２  通信ライン、    １０  給油機、    ２０  計量機、
２１  計量機筐体、    ２２  給油系統、    ２３  送液手段、
２４  計量手段、    ２５  給油ホース、    ２６  給油ノズル、
２７  ノズル掛け、    ２８  ノズルスイッチ、    ２９  案内ランプ、
３０  計量機制御装置、    ３１  給油表示器、    ４０  給油端末機、
４１  給油端末機筐体、    ４２  操作・表示部筐体面、
４３  画面操作設定器、    ４４  カード情報読取機、    ４５  現金入金機、
４６  伝票発行機、    ４７  音声報知器、    ４８  インターフォン装置、
４９  人検知装置、    ５０  端末機制御装置、    ５１  錠付き扉、
５２  錠機構、    ５３  扉開閉検知センサ、    ５４  錠状態検知センサ、
６０  給油管理機、    ６１  コンピュータ装置、    ６２  表示器、
６３  操作入力装置、    ６４  インターフォン、    ７０  係員カード、
７１  照合データ記憶部、    ７２  カード情報読取機、
７３  回収作業設定ボタン、    ７４  回収作業履歴記憶部
【図１】
2010134615.tif 000003
【図２】
2010134615.tif 000004
【図３】
2010134615.tif 000005
【図４】
2010134615.tif 000006
【図５】
2010134615.tif 000007
【図６】
2010134615.tif 000008
【図７】
2010134615.tif 000009
【図８】
2010134615.tif 000010
【図９】
2010134615.tif 000011
【図１０】
2010134615.tif 000012